(57)【要約】【課題】発光型ディスプレイのような情報表示手段はまわりの光によって視認性が変化するため、情報表示手段のまわりの光を測光し表示状態を制御するのが好ましい。しかし従来の構成では、レンズ鏡筒外周に設けられた情報表示手段の表示の向きからの光を測光できないため、適切な表示状態に制御することが難しいため、視認性が良くないという問題があった。【解決手段】レンズ側情報表示手段を有したカメラシステムにおいて、レンズ側情報表示手段の表示の向きとは異なる向きの光強度を取得する測光手段とレンズ鏡筒の姿勢取得手段を設ける。そして、前記測光手段から得られた光強度情報と前記姿勢取得手段から得られた姿勢情報とを用いて前記レンズ側表示手段の表示の向きの光強度を予測し前記レンズ側表示手段の表示状態を変更することを特徴とする。【選択図】図１
2018005134.tif 000002
【特許請求の範囲】
【請求項１】
外周にレンズ側情報表示手段を有するレンズ鏡筒と、
カメラボディからなるカメラシステムにおいて、
前記レンズ鏡筒の姿勢情報を取得できる姿勢取得手段から得られた姿勢情報と、
前記レンズ側情報表示手段の表示面上の垂直上向きからの光強度情報を得る測光手段から得られた光強度情報と、
前記レンズ側情報表示手段の表示状態を制御可能なレンズ側情報表示制御手段を用いて、
前記レンズ側情報表示手段の表示状態を制御することを特徴とするカメラシステム。
【請求項２】
重力の下向きの情報もしくは方角を取得することが可能な姿勢取得手段を有することを特徴とする請求項１に記載のカメラシステム。
【請求項３】
前記姿勢取得手段から得た姿勢情報と前記測光手段から得た光強度情報から前記レンズ側情報表示手段の表示面上の垂直上向きからの光強度分布を算出し、算出した前記光強度分布を用いて前記レンズ側情報表示手段の表示状態を制御することを特徴とする請求項１又は請求項２に記載のカメラシステム。
【請求項４】
前記姿勢取得手段から得た姿勢情報と前記測光手段から得た光強度情報を記録し、記録した前記姿勢情報と前記光強度情報を用いて前記レンズ側情報表示手段の表示状態を制御することを特徴とする請求項１又は請求項２に記載のカメラシステム。
【請求項５】
外周にレンズ側情報表示手段を有する交換レンズであって、
カメラボディと通信可能な通信手段と、
前記レンズ側情報表示手段の表示状態を制御可能なレンズ側情報表示制御手段を有し、
前記通信手段を用いて前記レンズ側情報表示手段の表示面上の垂直上向きと異なる向きからの光強度情報を取得可能であり、
前記通信手段もしくは前記交換レンズに設けられた前記交換レンズの姿勢情報を取得できる姿勢取得手段を用いて前記交換レンズの姿勢情報を取得可能であり、
前記交換レンズの姿勢情報と前記レンズ側情報表示手段の表示の向きと異なる向きからの光強度情報とを用いて前記レンズ側情報表示手段の表示状態を制御することを特徴とする交換レンズ。
【発明の詳細な説明】
【技術分野】
【０００１】
本発明は、情報表示手段を有するレンズ鏡筒、およびカメラシステムに関し、特にレンズ鏡筒外周に情報表示手段を有するレンズ鏡筒、およびカメラシステムに関する。
【背景技術】
【０００２】
従来、デジタルカメラの撮影画像、撮影条件等様々な情報を表示する手段として、液晶表示装置が使われている。その一つとしてカメラのレンズ鏡筒の外周に電子ペーパーや液晶表示装置を設け、レンズの情報をレンズ鏡筒で確認することで知ることができる技術が知られている。
【０００３】
特許文献１には、一眼レフの交換レンズに距離目盛や焦点距離目盛のような撮影情報を表示する情報表示手段を設け表示する技術が開示されている。
【０００４】
一方、液晶表示装置を用いた場合、明るい環境下と暗い環境下において視認性が異なるため、周囲の光を測光し液晶表示装置の輝度値を変更する技術が知られている。
【０００５】
しかし、上記の技術ではセンサで取得した光量でしか表示条件の設定ができないため適切に表示条件を変更できない可能性がある。
【０００６】
そのため、特許文献２には、電子スチルカメラの背面に設置されている液晶表示装置を、電子スチルカメラのある位置情報、時刻情報に基づいて装置本体が屋外で使われているか判断して輝度値を調整する技術が開示されている。
【先行技術文献】
【特許文献】
【０００７】
【特許文献１】特開２００７−７２４０７号公報
【特許文献２】特開２００９−１７１４１２号公報
【発明の概要】
【発明が解決しようとする課題】
【０００８】
表示手段の表示の向きを表示面に対して垂直上向きとする。このとき、レンズ鏡筒外周に設けた情報表示手段の表示の向きと一般的にカメラ背面に設けた情報表示手段の表示の向きでは、構造上カメラシステムとして一意に決まるとは限らない。
【０００９】
そのため、一つのセンサでは表示の向きからの光量を適切に取得できないという問題がある。
【００１０】
しかしながら、上述の特許文献２のように位置情報を用いると、位置情報を取得できない状況では変更できず利便性に欠ける。また、位置情報だけでは光源の設置などといった変化に対応できず、適切に表示状態を変更できないという問題がある。
【００１１】
そこで、本発明の目的は、レンズ鏡筒外周に設けられた情報表示手段の光による視認性の低下を改善することを可能にしたレンズ鏡筒、およびそのカメラシステムを提供することにある。
【課題を解決するための手段】
【００１２】
上記の目的を達成するために、本発明に係るカメラシステムは、
外周にレンズ側情報表示手段を有するレンズ鏡筒とカメラボディからなるカメラシステムにおいて、前記レンズ鏡筒の姿勢情報を取得できる姿勢取得手段から得られた姿勢情報と前記レンズ側情報表示手段の表示方向と異なる方向からの光強度情報を得る測光手段から得られた光強度情報と前記レンズ側情報表示手段の表示状態を制御可能なレンズ側情報表示制御手段を用いて前記レンズ側情報表示手段の表示状態を制御することを特徴とする。
【発明の効果】
【００１３】
本発明によれば、レンズ鏡筒外周に設けられた情報表示手段の周囲の光による視認性の低下を改善することを可能にしたレンズ鏡筒、およびそのカメラシステムを提供することができる。
【図面の簡単な説明】
【００１４】
【図１】本発明の形態を示す模式図である。
【図２】実施例１、実施例２におけるレンズ鏡筒を含むカメラシステムを示す図である。
【図３】実施例１における発光型ディスプレイの輝度値設定の制御図である。
【図４】実施例２における発光型ディスプレイの輝度値設定の制御図である。
【図５】実施例２における重力の下向きからの角度と光強度の変化を示したグラフである。
【図６】実施例２における重力の下向きからの角度と光強度の変化を示したグラフである。
【図７】実施例３におけるレンズ鏡筒を含むカメラシステムを示す図である。
【図８】実施例３における記録情報を示した表である。
【図９】実施例３における発光型ディスプレイの輝度値設定の制御図である。
【発明を実施するための形態】
【００１５】
以下に、本発明の好ましい実施の形態を、添付の図面に基づいて詳細に説明する。
【００１６】
図１は本発明の実施形態にかかわる模式図である。
【００１７】
０はカメラシステムを示し、１はレンズ鏡筒を示し、２はカメラボディを示している。レンズ鏡筒１には、レンズ側情報表示手段３が設けられている。また、カメラシステム０は、レンズ側情報表示制御手段４と測光手段５と姿勢取得手段６を有している。
【００１８】
測光手段５はレンズ側情報表示手段４の表示の向きと異なる向きからの光を測光する位置に取り付けられている。このとき、レンズ側情報表示制御手段４は測光手段５と姿勢取得手段６から得られた情報により、レンズ側情報表示手段３の画像の表示状態を変更する構成とする。このとき、レンズ側情報表示制御手段４、測光手段５、姿勢取得手段６はレンズ鏡筒０にあっても、カメラ１にあっても良い。
【００１９】
次に本発明を可能とする実施形態について述べる。
【００２０】
［実施例１］
以下、図２を参照して、本発明の第1の実施例について説明する。
【００２１】
図２は本発明の実施形態にかかわるカメラシステム１０である。
【００２２】
このときレンズ鏡筒として交換レンズ１１、カメラボディとしてカメラボディ１２を有している。交換レンズ１１は、レンズ側情報表示手段として焦点距離、ズーム位置などの情報を表示するレンズ側発光型ディスプレイ１３を有している。カメラボディ１２はレンズ側発光型ディスプレイ１３とは異なる表示の向きをもつカメラ側発光型ディスプレイ１２３を交換レンズ１１の接続する面と反対側に有している。
【００２３】
またカメラボディ１２はカメラ側発光型ディスプレイ１２３の表示の向きからの光強度を測光可能な測光センサ１５を有している。そのため、測光センサ１５はレンズ側発光型ディスプレイ１３とは異なる向きからの光強度を適切に測定するように配置されている。また、図示はされていないが交換レンズ１１はレンズ側情報表示制御手段としてレンズ側発光型ディスプレイの輝度値を変更可能なレンズ側ＭＰＵ（マイクロプロセシングユニット）１４を有している。また、図示はされていないが交換レンズ１１はカメラシステム１０の姿勢情報として重力の下向きを検知することのできる加速度センサを有している。
【００２４】
図３は実施例１におけるレンズ側ＭＰＵが行うレンズ側発光型ディスプレイ１３の輝度値を変更するための制御図を示している。
【００２５】
ステップ１として、加速度センサより重力の下向きがレンズ側発光型ディスプレイの表示の向きに対してどの向きにあるかという姿勢情報を取得する。
【００２６】
ステップ２として、カメラボディ１２と通信を行い測光センサ１５から得られた光強度情報を取得する。
【００２７】
ステップ３として、ステップ１で取得した姿勢情報においてステップ２で取得した光強度情報が重力側からの光強度か否かを判断する。光強度情報が重力側からと判断された場合、ステップ４として、基準変数Ｘに値Ｘｄを代入する。光強度情報が重力側からと判断されない場合、ステップ５として基準変数Ｘに値Ｘｄよりも大きな値Ｘｂを代入する。
【００２８】
ステップ６として、ステップ２で取得した光強度情報が基準変数Ｘ以下か判断する。ステップ２で取得した光強度情報が基準変数Ｘ以下ならばステップ５としてレンズ側発光型ディスプレイ１３の輝度値を低く設定し制御を終える。また、ステップ２で取得した光強度情報が基準変数Ｘｂ以上ならばステップ５としてレンズ側発光型ディスプレイ１３の輝度値を高く設定し制御を終える。
【００２９】
一般的に重力の下向きから光が照射されることはないため、重力の下向きからの光強度を用いて重力の下向き以外に表示の向きのある発光型ディスプレイの輝度値を変更すると輝度値が低くなり視認性が低くなる。本構成においては、値Ｘｄを値Ｘｂよりも小さく設定することで、測光センサ１５が重力の下向きを向いている場合は基準変数Ｘが小さく設定される。そのため検出した光強度が小さくても輝度値を高く設定できる。これにより、どのような姿勢でも視認性のいい状態でレンズ側発光型ディスプレイ１３を表示することが可能となる。
【００３０】
［実施例２］
カメラシステムの構成は実施例１と同様の構成をとる。
【００３１】
図４は実施例２におけるレンズ側ＭＰＵが行うレンズ側発光型ディスプレイ１３の輝度値を変更するための制御図を示している。
【００３２】
ステップ１として、加速度センサより重力の下向きがレンズ側発光型ディスプレイの表示の向きに対してどの向きにあるかという姿勢情報を取得する。
【００３３】
ステップ２として、カメラボディ１２と通信を行い測光センサ１５から得られた光強度情報を取得する。
【００３４】
ステップ３として、ステップ１で取得した姿勢情報とステップ２で取得した光強度情報からレンズ側発光型ディスプレイ１３の周囲の光強度を計算する。計算方法については後に記述する。ステップ４としてステップ３で計算した光強度情報が基準値Ｂ以下か判断する。ステップ３で計算した光強度情報が基準値Ｂ以下ならばステップ５としてレンズ側発光型ディスプレイ１３の輝度値を低く設定し制御を終える。また、ステップ３で計算した光強度情報が基準値Ｂ以上ならばステップ５としてレンズ側発光型ディスプレイ１３の輝度値を高く設定し制御を終える。
【００３５】
次にステップ３で行った計算方法について説明を行う。
【００３６】
加速度センサは重力の下向きを検知できるので重力の下向きに対するレンズ側発光型ディスプレイ１３の表示の向きの角度を検出できる。また、同様に重力の下向きに対する測光手段で検出する測光の向きの角度を検出できる。このとき、図５は重力の下向きと９０°〜２７０°の範囲から一定の光を照射したときに各重力の下向きからの角度で得られる光強度を光強度指数として表したグラフである。このグラフより一定の光を照射したときの各角度における光強度の関係が分かる。
【００３７】
測光センサにより測定された光強度を光強度Ｌｒ、測光センサ１５の取り付け角度を角度Ｄｓ、レンズ側発光型ディスプレイ１３の表示の向きを角度Ｄｄとする。角度Ｄｓ、角度Ｄｄにおける光強度指数は図５のグラフより光強度指数Ｌｓ、光強度指数Ｌｄと分かる。このとき、Ｌｒ×Ｌｄ/Ｌｓを行うことでレンズ側発光型ディスプレイ１３の表示の向きの光強度を計算することができる。この計算された値を用いることで、さらに適切にレンズ側発光型ディスプレイの輝度値を変更することができる。
【００３８】
ただし、重力の下向きからの角度と光強度指数を示すグラフは図５に限定されず、異なる算出方法や実験値により求めても良い。また、カメラボディと交換レンズごとに異なるグラフを設けて、交換レンズに接続しているカメラボディを判断して用いてもよい。
【００３９】
［実施例３］
以下、図７を参照して、本発明の第３の実施例について説明する。
【００４０】
図７は本発明の実施形態にかかわるカメラシステム３０である。
【００４１】
このときレンズ鏡筒として交換レンズ３１、カメラボディとしてカメラボディ３２を有している。交換レンズ３１は、レンズ側情報表示手段として焦点距離、ズーム位置などの情報を表示するレンズ側発光型ディスプレイ３３を有している。カメラボディ３２はレンズ側発光型ディスプレイ３３とは異なる表示の向きをもつカメラ側発光型ディスプレイ３２３を交換レンズ３１の接続する面と反対側に有している。
【００４２】
またカメラボディ３２はカメラ側発光型ディスプレイ３２３の表示の向きからの光強度を測光可能な測光センサ３５を有している。そのため、測光センサ３５はレンズ側発光型ディスプレイ３３とは異なる向きからの光強度を適切に測定するように配置されている。また、図示はされていないが交換レンズ３１はレンズ側情報表示制御手段としてレンズ側発光型ディスプレイの輝度値を変更可能なレンズ側ＭＰＵ（マイクロプロセシングユニット）３４を有している。また、図示はされていないがカメラボディ３２はカメラシステム３０の姿勢情報として方角を検知することのできる電子コンパス３６を有している。
【００４３】
図８は実施例３におけるレンズ側ＭＰＵが記録する要素を記したものである。
【００４４】
図８に示すように範囲を持った領域を指す向きとして各々の向きＤｑとの向きＤｑごとの光強度Ｌｑ、光強度Ｌｑを計測してからの時間経過としてカウントＴｑを記録する。の向きとしては東、西、南、北、重力の下向き、重力と逆の向きの６の向きとする。
【００４５】
図９は実施例３におけるレンズ側ＭＰＵが行うレンズ側発光型ディスプレイ３３の輝度値を変更するための制御図を示している。
【００４６】
ステップ１として、カメラボディ３２と通信を行い光強度Ｌｓとカメラの姿勢を得る。具体的には測光センサ３５から光強度Ｌｓを得る。また、電子コンパス３６からレンズ側発光型ディスプレイ３３の表示の向きＤｐと測光センサ３５の測光の向きＤｓを得る。
【００４７】
ステップ２として、測光センサ３５の測光の向きＤｓに範囲の一致する向きＤｑに対して、光強度ＬｓをＬｑに記録し、カウント時間Ｔｑを０にする。こうすることで各々の向きＤｑにおける光強度Ｌｑを更新可能とし、更新してからのカウント時間Ｔｑを測ることが可能となる。
【００４８】
ステップ３として、レンズ側発光型ディスプレイ３３の表示の向きＤｐのカウント時間Ｔｐが判定時間Ｔｓ以下か判断する。Ｔｓが３０分と規定されているとき３０分以内にレンズ側発光型ディスプレイ３３の表示の向きＤｐからの光強度Ｌｐが測定されているか判断できる。そこでもしカウント時間Ｔｐが判定時間Ｔｓ以下であれば、ステップ４としてレンズ側発光型ディスプレイ３３の表示の向きＤｐの光強度Ｌｐをレンズ側発光型ディスプレイ３３の表示状態を変更するのに用いる指標となるレンズ側光強度Ｌｌに代入する。
もしカウント時間Ｔｐが判定時間Ｔｓより大きければ、ステップ５としてレンズ側発光型ディスプレイ３３の周囲の光強度を計算しレンズ側光強度Ｌｌに代入する。計算方法については実施例２に従う。
【００４９】
ステップ６として、レンズ側光強度Ｌｌが基準値Ｂ以下か判断する。レンズ側光強度Ｌｌが基準値Ｂ以下ならばステップ７としてレンズ側発光型ディスプレイ３３の輝度値を低く設定し制御を終える。また、レンズ側光強度Ｌｌが基準値Ｂ以上ならばステップ８としてレンズ側発光型ディスプレイ１３の輝度値を高く設定し制御を終える。
【００５０】
こうすることで各方角にレンズ側発光型ディスプレイの表示の向きが向いた時にも記録されている各々の向きの光強度を用いて表示状態を変更することができるので、より適切に視認性を向上することができる。また、測光からの経過時間により記録された光強度か計算した光強度を用いるか判断できるため、時間経過により光強度が変化した場合にも過去の光強度を用いて不適切な表示状態で表示することを防止することができる。
【００５１】
以上、本発明の好ましい実施形態について説明したが、本発明はこれらの実施形態に限定されず、その要旨の範囲内で種々の変形及び変更が可能である。
【００５２】
実施例の通り一般的にカメラ側ディスプレイとカメラ側ディスプレイの表示状態を変更するのに用いる測光センサはカメラボディの交換レンズの接続する反対側の面に配置してあるため、交換レンズのＭＰＵはその向きからの光強度を計測していると判断して良い。しかし、カメラボディの機種を判断して測光センサの向きを判断することでより確実に視認性を良くできることは言うまでもない。
【００５３】
実施例ではレンズ側情報表示制御手段を交換レンズが有するものについて述べたが、レンズ側情報表示制御手段はカメラが有していても良く、一体型のカメラのようなものにも適用可能である。
【００５４】
実施例では姿勢取得手段として加速度センサ、電子コンパスを挙げたがそのほかの姿勢取得手段としてＧＰＳなどを用いてもいいことは言うまでもない。またＧＰＳを用いた場合はその場における太陽の向きや天気といった情報を加味して表示状態を判断しても良い。また、姿勢取得手段は交換レンズの加速度センサ等を用いても、カメラボディの電子コンパス等を用いても良いことは言うまでもない。また、接続されたカメラボディを判断して適宜使い分けても良いことは言うまでもない。
【００５５】
実施例では測光手段としてカメラ側の測光センサを例と挙げたが、カメラについているＣＭＯSセンサや撮影した画像の絞り、ＩＳＯ感度等の条件を用いてある向きにおける光強度を導き出しても良い。
【００５６】
実施例中では平面のレンズ側情報表示手段を想定したが弧形状のレンズ側情報表示手段でも良いことは言うまでもない。また弧形状の場合、実施例１のように重力の下向きの表示面のみ表示状態を変更したり、実施例２で計算した光強度分布や実施例３で記録した光強度情報を用いて情報表示手段の表示の向きに応じて表示状態を変更したりしても良い。
【００５７】
実施例中ではレンズ側情報表示手段について発光型ディスプレイを例にとって説明したが、反射型ディスプレイと照明手段、もしくは目盛と照明手段、反射発光型ディスプレイにおいても本発明を適応できる。このとき、発光型ディスプレイとは透過型液晶にバックライトを組み合わせたものや有機EL等が挙げられる。また、反射型ディスプレイとしては電子ペーパーや反射型液晶、エレクトロウェティング等が挙げられる。照明手段としては発光ダイオード等が挙げられる。反射発光型ディスプレイとは以上に挙げた反射型ディスプレイと発光型ディスプレイを組み合わせたものが挙げられる。
【００５８】
このとき、反射型ディスプレイや目盛においては、明るい環境下での視認性はいいが、暗い環境下では表示を反射する光が足りず視認性が低くなる。そのため、反射型ディスプレイと照明手段もしくは目盛と照明手段を用いた場合は、測光値から暗いと判断した場合に照明を付ける。このとき、測光値に基づいて光量を変化させても良い。
【００５９】
反射発光型ディスプレイにおいては、反射型ディスプレイを用いたときは、前述したとおり明るい環境下では視認性がいいが暗い環境下では視認性が低くなる。しかし消費電力は発光型に比べて少ない。一方、発光型ディスプレイを用いたときは、前述したとおり暗い環境下では表示の輝度値を低くすると視認性が良くなり、明るい環境下では表示の輝度値を高くすると視認性が良くなる。しかし輝度値を高くすることで消費電力は多くなる。そのため、得られた測光値から暗いと判断した場合は発光型で表示し、明るいと判断した場合は反射型で表示することで視認性良く低消費電力で画面を表示できる。
【００６０】
実施例１では単純に重力の下向きを暗いと判断したが、複数の傾きにおける光強度を記録させてそこから計算して光強度分布を計算しても良い。実施例１において実施例２のように判定基準を変数とするのではなく、測光値を計算して基準と比較しても良いことは言うまでもない。また、実施例２、実施例３において測光値を計算して基準と比較していたが、判定基準を変数とするアルゴリズムを組んでも良いことは言うまでもない。
【００６１】
実施例２ではあらかじめ光強度分布を計算する式を求めていたが、複数の傾きにおける光強度を記録させてそれを用いて計算式を導いても良い。
【００６２】
実施例３ではカウントを行ったが、判定時間を越えた時点でカウントを止め、その旨をかえすことで判定時間内に光強度を計測していないことを判断しても良い。また、光強度取得時の時刻を記憶することで光強度を得てからどのくらいの時間がたっているか判定しても良いことは言うまでもない。実施例３では判定時間を一意に決めていたが、時刻によって判定時間を変更して良い。例えば日の出、日の入り付近の時間帯では周囲の明るさが変わりやすいので判定時間を短くしても良い。また、そのときＧＰＳ等を用いてその地点における日の出時間、日の入り時間を判断し判定時間を変更して良い
実施例３における測光センサでの光強度の記録において情報表示手段が表示してないときも取得していても良いことは言うまでもない。また、取得タイミングとしては常時に限らず、姿勢が変わったとき、時間経過等で取得しても良い。時間経過で取得する際は、省電モード時は取得するまでの時間を長くする等の制御を行っても良い。
【００６３】
実施例３では６の向きの記録を行ったが、記録できる向きとしては６の向きに限定されずそれより多数でも少数でも良いことは言うまでもない。また、記録できる向きとして東西南北の４の向きのみ細分化し、８の向きとするなど等分でなくても良いことは言うまでもない。また光強度の計測の向きの境界線上に情報表示手段が位置するときは隣接する向きからの光強度を用いて平均値を使用するなどの方法を行っても良い。
【００６４】
本発明は、情報表示手段を有するレンズ鏡筒、およびカメラシステムに関し、特にレンズ鏡筒外周に情報表示手段を有するレンズ鏡筒、およびカメラシステムに有用である。
【符号の説明】
【００６５】
０  カメラシステム、１  レンズ鏡筒、２  カメラボディ、３  レンズ側情報表示手段、
４  レンズ側情報表示制御手段、５  測光手段、６  姿勢取得手段、
１０  実施例１におけるカメラシステム、
１１  交換レンズ（実施例１、実施例２におけるレンズ鏡筒）、
１２  カメラボディ（実施例１、実施例２におけるカメラボディ）、
１３  レンズ側発光型ディスプレイ（実施例１、実施例２におけるレンズ側情報表示手段）、
１４  レンズ側ＭＰＵ（実施例１、実施例２におけるレンズ側情報表示制御手段）、
１５  測光センサ（実施例１、実施例２における測光手段）、
１６  加速度センサ（実施例１、実施例２における姿勢取得手段）、
３１  交換レンズ（実施例３におけるレンズ鏡筒）、
３２  カメラボディ（実施例３におけるカメラボディ）、
３３  レンズ側発光型ディスプレイ（実施例３におけるレンズ側情報表示手段）、
３４  レンズ側ＭＰＵ（実施例３におけるレンズ側情報表示制御手段）、
３５  測光センサ（実施例３における測光手段）、
３６  電子コンパス（実施例３における姿勢取得手段）
【図１】
2018005134.tif 000003
【図２】
2018005134.tif 000004
【図３】
2018005134.tif 000005
【図４】
2018005134.tif 000006
【図５】
2018005134.tif 000007
【図６】
2018005134.tif 000008
【図７】
2018005134.tif 000009
【図８】
2018005134.tif 000010
【図９】
2018005134.tif 000011